(57)【要約】【課題】衛星ラジオ放送を聴いている途中で、視聴している地域の地域情報を得られる衛星放送受信装置を提供する。【解決手段】ラジオ用衛星から衛星ラジオ波Ｓ１と、ＧＰＳ用衛星からの送信波Ｓ２により位置情報とを受信するマルチバンドアンテナ１１と、マルチバンドアンテナで受信する前記衛星ラジオ波と前記ＧＰＳ用衛星からの送信波とを分波して受信するラジオ受信部１５とＧＰＳ受信部１４とを備えた受信器１２とを備え、受信器内でラジオ受信部とＧＰＳ受信部とを接続し、ラジオ受信部は、前記ＧＰＳ受信部から受信した位置情報と対応する特定地域情報を選択し、該特定地域情報を所要時に出力する。【選択図】図１
2009111729.tif 000002
【特許請求の範囲】
【請求項１】
ラジオ用衛星から衛星ラジオ波と、ＧＰＳ用衛星からの送信波により位置情報とを受信するマルチバンドアンテナと、
前記マルチバンドアンテナで受信する前記衛星ラジオ波と前記ＧＰＳ用衛星からの送信波とを分波して受信するラジオ受信部とＧＰＳ受信部とを備えた受信器とを備え、
前記受信器内でラジオ受信部と前記ＧＰＳ受信部とを接続し、
前記ラジオ受信部は、前記ＧＰＳ受信部から受信した位置情報と対応する特定地域情報を選択し、該特定地域情報を所要時に出力するラジオ放送受信装置。
【請求項２】
前記マルチバンドアンテナおよび前記受信器を車両に搭載し、前記ＧＰＳ用衛星から走行中の自車位置情報波を受信し、自車位置と対応する特定地域情報を選択している請求項１に記載のラジオ放送受信装置。
【請求項３】
前記マルチバンドアンテナで受信した前記衛星ラジオ波と前記ＧＰＳ用衛星からの送信波を分波する分波器を備え、
前記分波器を前記受信器の内部に収容し、または、別部品とした前記分波器を前記アンテナと前記受信器との間に介設し、前記分波器を前記ラジオ受信部とＧＰＳ受信部とにそれぞれ接続している請求項１または請求項２に記載のラジオ放送受信装置。
【請求項４】
前記分波器を前記受信器に収容し、前記マルチバンドアンテナと前記受信器とを一本の同軸ケーブルで接続している請求項３に記載の車載用のラジオ放送受信装置。
【請求項５】
ラジオ用衛星から衛星ラジオ波を受信するアンテナと、
ＧＰＳ用衛星からの送信波により位置情報を受信するアンテナと、
前記衛星ラジオ波を受信するアンテナと接続したラジオ受信部と、前記ＧＰＳ用衛星からの送信波により位置情報を受信するアンテナと接続したＧＰＳ受信部とを備えた受信器と、
を備え、
前記受信器内でラジオ受信部と前記ＧＰＳ受信部とを接続し、
前記ラジオ受信部は、前記ＧＰＳ受信部から受信した位置情報と対応する特定地域情報を選択し、該特定地域情報を所要時に出力するラジオ放送受信装置。
【請求項６】
前記ラジオ受信部は、
視聴者が予め選択したチャンネルの衛星ラジオ放送を音声出力手段へ出力し、かつ、
前記ＧＰＳ受信部から受信した位置情報に対応する特定地域情報を、その内容の緊急度に応じて前記選択されたチャンネルの衛星ラジオ放送中に音声出力し、または他の表示手段へ出力する請求項１乃至請求項５のいずれか１項に記載のラジオ放送受信装置。
【請求項７】
前記地域情報は、地域毎の道路交通情報、駐車場の位置や満車・空車情報、地域のイベント情報、災害発生情報、災害時の救援被害情報を含み、かつ、地区等を特定できる情報と緊急度を示す情報が付加されており、
前記地域情報の緊急度が高い場合、前記選択されたチャンネルの衛星ラジオの受信中に割り込み、その緊急情報を音声出力等で出力して視聴者に伝え、
または、該地域情報を前記ラジオ受信部で一時記憶して、視聴者の要求に応じて出力する設定としている請求項６に記載のラジオ放送受信装置。
【発明の詳細な説明】
【技術分野】
【０００１】
本発明は、衛星ラジオ放送受信装置に関し、詳しくは、衛星ラジオを聴いている時にＧＰＳ用衛星から受信する衛星ラジオ放送受信装置の位置情報から、対応する地域の地域情報を得ることができるようにするものである。
【背景技術】
【０００２】
従来、自動車の乗車時等にＦＭラジオで音楽等を楽しむ乗員は多いが、１つのＦＭ放送局がカバーするサービスエリアは広くはないため、例えば、ＦＭラジオを受信しながら高速道路を移動していると、１時間程度の走行でＦＭ放送局のサービスエリアから外れてしまう。このため、聴いていた番組を引き続き聴くためにはＦＭラジオのチャンネルの切り替えを行わなければならず、操作が煩わしい等の乗員の不満があった。
【０００３】
そこで、近年では、衛星ラジオが自動車に搭載されている場合がある。例えば、特開２００５−８０１０２号公報（特許文献１）においては、衛星放送を受信するための受信装置が提案されている。
衛星ラジオは静止衛星からなるラジオ用衛星を用い、全国をサービスエリアとしているため、自動車の走行中に乗員はチャンネルを切り替える必要がなく、地域を移動しても聴いていた番組を継続して楽しむことができる。
【０００４】
しかし、衛星ラジオには走行地域に関する情報が得られにくいという問題がある。走行地域に関する情報とは、例えば、地域毎の道路交通情報やイベント情報、災害等の発生時に被害状況や非難勧告などの情報である。このような各地域に関する情報を衛星ラジオが放送する場合、広いサービスエリア全域に各地域に関する詳細な情報を送信することになる。このため、衛星ラジオのサービスエリア内にいる自動車の乗員は、自車位置と対応する特定地域情報のみを得たい場合でも、全国の各地域情報を受信せざるを得ない問題がある。
【０００５】
また、前記問題は車両に搭載している衛星ラジオに限らず、例えば、家庭で衛星ラジオの放送を聴いている場合にも、所在している地域の情報を視聴している放送中に適時、聴くことが出来るようにすれば利便性を高めることができる。
【０００６】
【特許文献１】特開２００５−８０１０２号公報
【発明の開示】
【発明が解決しようとする課題】
【０００７】
本発明は、前記問題に鑑みてなされたもので、衛星ラジオの放送を聴いている時に、特定地域に関する情報のみを受信チャンネルを切り替えることなく、適時、取得することができるラジオ放送受信装置を提供することを課題としている。
特に、自動車が走行している時に衛星ラジオの放送を聴きながら、自車位置の地域を適時、聴くことが出来るようにすることを課題としている。
【課題を解決するための手段】
【０００８】
前記課題を解決するため、本発明は、ラジオ用衛星から衛星ラジオ波と、ＧＰＳ用衛星からの送信波により位置情報とを受信するマルチバンドアンテナと、
前記マルチバンドアンテナで受信する前記衛星ラジオ波と前記ＧＰＳ用衛星からの送信波とを分波して受信するラジオ受信部とＧＰＳ受信部とを備えた受信器とを備え、
前記受信器内でラジオ受信部と前記ＧＰＳ受信部とを接続し、
前記ラジオ受信部は、前記ＧＰＳ受信部から受信した位置情報と対応する特定地域情報を選択し、該特定地域情報を所要時に出力するラジオ放送受信装置を提供している。
【０００９】
ラジオ用衛星は、衛星ラジオ波として、チャンネル毎に音楽等の番組である通常情報データ（以下、音楽データとして総称する）を所定のデータ量で分割して送信すると共に、該音楽データの間に地域情報のデータ（以下、地域情報データと称す）を送信し、時間的に多重で送信している。
地域情報データとは、全国を地域に区分けた場合の各地域の道路交通情報や災害情報奈等を含み、衛星ラジオの広いサービスエリアに区分けされた全ての地域に関する情報が放送されている。
【００１０】
車両に搭載している受信装置や視聴者が所持しているポータブルの受信装置のラジオ受信部は、前記音楽データと地域情報データとを衛星ラジオ波から時間的に多重で受信している。
視聴者が衛星ラジオで音楽を視聴する場合、受信器のラジオ受信部は受信した衛星ラジオ波からの音楽データのみを表示手段に出力し、視聴者は音楽を楽しむことができる。
一方、視聴者が衛星ラジオ波を受信している地域に対応する地域情報データ（以下、特定地域情報データと称す）を取得したい場合、ＧＰＳ受信部はＧＰＳ用衛星から衛星ラジオ放送を受信している位置情報を取得し、ラジオ受信部に出力する。ラジオ受信部は、該位置情報を用いて、受信している地域情報データのうち位置情報に対応する特定地域情報データのみを選択し、所要時に表示手段や音声手段で出力する。
このように、ラジオ受信部がＧＰＳ受信部により衛星ラジオ放送を受信している位置情報を取得することにより、特定地域情報データを衛星ラジオ波から受信することができ、視聴者はチャンネルを切り替えることなく、特定地域に関する情報を得ることができる。
【００１１】
本発明は、特に、自動車に搭載する車載用として好適に用いることができ、前記マルチバンドアンテナおよび前記受信器を車両に搭載しておくと、前記ＧＰＳ用衛星から走行中の自車位置情報波を受信し、自車位置と対応する特定地域情報を選択して視聴することができる。
衛星ラジオのサービスエリアは広いため、自動車にマルチバンドアンテナおよび受信器を搭載することで、自動車が長距離を走行してもチャンネルを切り替えることなく、聴いている音楽を継続して楽しむことができる。
【００１２】
また、乗員が走行中の地域の特定地域情報を得たい場合には、ＧＰＳ受信部はＧＰＳ用衛星から自動車の走行位置情報を取得し、ラジオ受信部に出力する。ラジオ受信部は、自動車の走行位置情報を用いて、自動車の走行位置情報に対応する特定地域情報データのみを選択し、所要時にナビゲーションの画面で文字出力したり、スピーカーで音声出力する。
このように、ラジオ受信部が自車位置情報を取得することにより、自動車の走行している特定地域情報データを衛星ラジオ波から受信し、乗員は音声出力や文字表示出力により走行中の特定地域に関する情報を得ることができる。
【００１３】
前記マルチバンドアンテナで前記衛星ラジオ波と前記ＧＰＳ用衛星からの送信波を受信するため、衛星ラジオ波とＧＰＳ用衛星からの送信波分波する分波器を備えている。
該分波器を前記受信器の内部に収容し、または、別部品とした前記分波器を前記アンテナと前記受信器との間に介設し、前記分波器を前記ラジオ受信部とＧＰＳ受信部とにそれぞれ接続している。
【００１４】
マルチバンドアンテナは、１本のアンテナでラジオ用衛星からの衛星ラジオ波と、ＧＰＳ用衛星からの送信波である自車位置情報波の両方を受信しているので、ラジオ放送受信装置の構成を簡単にすることができる。
また、分波器を備えることでマルチバンドアンテナが受信した衛星ラジオ波と自車位置情報波を分波することができる。分波器は前記ラジオ受信部とＧＰＳ受信部とにそれぞれ接続しており、自車位置情報波をＧＰＳ受信部に出力し、衛星ラジオ波をラジオ受信部に出力している。
【００１５】
前記分波器を前記受信器に収容し、前記マルチバンドアンテナと前記受信器とを一本の同軸ケーブルで接続していることが好ましい。
マルチバンドアンテナの場合には、受信器とマルチバンドアンテナとを一本の同軸ケーブルで接続することができ、ラジオ放送受信装置の構成を簡単にすることができる。
【００１６】
第２の発明として、ラジオ用衛星から衛星ラジオ波を受信するアンテナと、
ＧＰＳ用衛星からの送信波により位置情報を受信するアンテナと、
前記衛星ラジオ波を受信するアンテナと接続したラジオ受信部と、前記ＧＰＳ用衛星からの送信波により位置情報を受信するアンテナと接続したＧＰＳ受信部とを備えた受信器と、
を備え、
前記受信器内でラジオ受信部と前記ＧＰＳ受信部とを接続し、
前記ラジオ受信部は、前記ＧＰＳ受信部から受信した位置情報と対応する特定地域情報を選択し、該特定地域情報を所要時に出力するラジオ放送受信装置を提供している。
【００１７】
ラジオ用衛星から衛星ラジオ波を受信するアンテナと、ＧＰＳ用衛星からの送信波により位置情報を受信するアンテナとを別体として設けているため、各アンテナを衛星ラジオ波及びＧＰＳ用衛星からの送信波を受信する専用のアンテナとすることができ、衛星ラジオ波及びＧＰＳ用衛星からの送信波の周波数に合わせた高性能のアンテナとすることができる。また、マルチバンドアンテナを用いた場合に必要であった分波器を不要とすることができる。
【００１８】
前記マルチバンドアンテナを用いた場合および別体のアンテンを用いた場合のいずれの場合も、前記ラジオ受信部は、視聴者が予め選択したチャンネルの衛星ラジオ放送を音声出力手段へ出力し、かつ、
前記ＧＰＳ受信部から受信した位置情報に対応する特定地域情報を、その内容の緊急度に応じて前記選択されたチャンネルの衛星ラジオ放送中に音声出力し、または他の表示手段、例えば、ナビゲーション画面等で文字出力することが好ましい。
具体的には、前記地域情報は、地域毎の道路交通情報、駐車場の位置や満車・空車情報、地域のイベント情報、災害発生情報、災害時の救援被害情報を含み、かつ、地区等を特定できる情報と緊急度を示す情報が付加されており、
前記地域情報の緊急度が高い場合、前記選択されたチャンネルの衛星ラジオの受信中に割り込み、その緊急情報を出力して視聴者に伝え、
または、該地域情報を前記ラジオ受信部で一時記憶して、視聴者の要求に応じて出力する設定としている。
【００１９】
前記設定としていることで、視聴者は任意にチャンネルを選択して衛星ラジオ波の音楽データを受信し、音声表示手段により表示することで音楽等を楽しむことができる。
一方、受信器は、衛星ラジオ波の地域情報データを周期的に受信し、さらにＧＰＳ用衛星から受信する自車位置情報に対応する特定地域情報データをラジオ受信部のメモリに一時記憶している。記憶された特定地域情報データは該地域の道路交通情報、駐車場の位置や満車・空車情報、地域のイベント情報を含み、ＣＭ放送中、または予め設けたスイッチを乗員が操作した時にメモリから読み出して出力している。
また、メモリに記憶された特定地域情報データが、災害発生情報、災害時の救援被害情報等の緊急度が高い情報の場合には、選択されたチャンネルの音楽データを流している衛星ラジオの受信中に割り込んで、乗員に緊急の情報を知らせることができる。
【発明の効果】
【００２０】
前述したように、本発明の衛星ラジオ放送受信装置によれば、ラジオ受信部がＧＰＳ受信部により位置情報を取得することにより、視聴している位置の地域情報を適時得ることができる。
特に、自動車で走行中に、走行している地域情報を得ることができ、利便性を高めることができる。
また、家庭等において、本発明の衛星ラジオ受信装置を所持している場合にも、音楽を聴きながら適時地域情報も得ることができる。
【００２１】
また、マルチバンドアンテナを用いると共に、該マルチバンドアンテナと受信器とを１本の同軸ケーブルで接続し、受信器に内蔵した分波器で衛星ラジオ波とＧＰＳ用衛星からの送信波を分波する構成とすると、必要構成部品の点数を大幅に削減でき、本発明の衛星ラジオ放送受信装置の小型化が図れ、搭載スペースに制限のある車載用として好適なものとなる。
【発明を実施するための最良の形態】
【００２２】
以下、本発明の実施形態を図面を参照して説明する。
図１乃至図７に本発明の第１実施形態を示す。
第１実施形態は車載用のラジオ放送受信装置１０からなる。図１に示すように、１本のマルチバンドアンテナ１１と受信器１２を備え、該マルチバンドアンテナ１１はラジオ用衛星９０から衛星ラジオ波Ｓ１を受信すると共に、ＧＰＳ用衛星９１から送信波Ｓ２を受信している。送信波Ｓ２は走行中の自車位置情報を示している。
受信器１２は、分波器１３と、ＧＰＳ受信部１４と、ラジオ受信部１５と、表示手段を構成するディスプレイ１７及び音声出力手段を構成するスピーカー１８を備えている。
【００２３】
図２に示すように、マルチバンドアンテナ１１は自動車１のリアガラス２にガラスアンテナとして搭載している。また、受信器１２はインスツルメントパネル内部に搭載している。
なお、マルチバンドアンテナ１１および受信器１５の搭載位置は限定されず、フロントガラスに搭載し、受信器はルーフ内部やトランク内部、インスツルメントパネル内部に搭載してもよい。また、スイッチ１６はディスプレイ１７に設け、受信器１２のラジオ受信部１５と接続している。
前記マルチバンドアンテナ１１と受信器１２内に収容した分波器１３とを一本の同軸ケーブル２０で接続している。
【００２４】
図３はマルチバンドアンテナ１１の一例を示し、誘電体基板４０と、誘電体基板４０の裏面全体にグランドパターン４１を設けている。また、誘電体基板４０の表面に円形パターン４２を設け、該円形パターン４２の外側にギャップを介して円形パターン４２と同心の円環パターン４３を備えている。円形パターン４２には給電点４４を設けている。給電点４４はアンテナ裏面に配置した増幅回路（図示せず）と接続している。
円形パターン４２は、例えば２．６ＧＨｚの衛星ラジオ波Ｓ１の周波数を受信するアンテナを構成し、外側の円環パターン４３は例えば１．５ＧＨｚのＧＰＳ用衛星からの送信波Ｓ２を受信するアンテナを構成している。同軸ケーブル２０は増幅回路と接続している。
【００２５】
前記マルチバンドアンテナ１１と１本の同軸ケーブル２０で接続した分波器１３は受信器１２の内部に収容している。該分波器１３によりマルチバンドアンテナ１１からの出力信号を衛星ラジオ波Ｓ１とＧＰＳ用衛星からの送信波Ｓ２とに分波している。分波器１３はローパスフィルタ（図示せず）及びハイパスフィルタ（図示せず）等から構成されている。
【００２６】
ＧＰＳ受信部１４は分波器１３と接続し、分波器１３で分波されたＧＰＳ用衛星からの送信波Ｓ２を受信して、走行中の自動車１の自車位置情報を取得している。また、ＧＰＳ受信部１４はラジオ受信部１５と接続し、取得した自動車１の自車位置情報をラジオ受信部１５に出力している。
【００２７】
ラジオ受信部１５は、分波器１３と接続して衛星ラジオ波Ｓ１を受信していると共に、ＧＰＳ受信部１４から自動車１の位置情報を取得している。
ラジオ受信部１５はディスプレイ１７及びスピーカー１８と接続し、乗員が予め選択したチャンネルの衛星ラジオ波Ｓ１をスピーカー１８へ出力することで、乗員が選択した音楽等を聴くことができる。
また、衛星ラジオ波Ｓ１から、ＧＰＳ受信部１４より受信する自車位置情報に対応する特定地域情報を選択し、その内容の緊急度に応じて所要時に選択されたチャンネルの衛星ラジオ放送中にスピーカー１８から音声出力し、ディスプレイ１７に文字情報として表示している。なお、特定地域情報の緊急度に応じて、音声出力と表示出力とを使い分けるようにしてもよい。
さらに、ラジオ受信部１５はスピーカー１８のみと接続して音声出力のみとし、あるいは、ディスプレイ１７のみと接続して文字出力のみとしてもよい。
【００２８】
また、ラジオ受信部１５にＲＯＭ、ＥＥＰＲＯＭ等からなるメモリ１５ａを設けている。該メモリ１５ａは自動車１が走行中の地域に関する特定地域情報のうち緊急度の低い情報を記憶している。
なお、該特定地域情報はラジオ受信部１５が周期的に受信しており、特定地域情報のうち新たに記憶すべき情報を受信した場合には、メモリ１５ａに上書きされる。
ラジオ受信部１５が衛星ラジオ波Ｓ１から地域情報を選択し、緊急度を判断してスピーカー１８やディスプレイ１７に出力し、またメモリ１５ａに記憶する一連の動作は、ラジオ受信部１５に記憶されたプログラムにより実行している。
【００２９】
スイッチ１６はラジオ受信部１５と接続しており、自動車１の乗員が特定地域情報のうち緊急度の低い情報を取得したい場合に、該スイッチ１６をオン操作する。
【００３０】
ラジオ用衛星９０が送信するデジタルデータである衛星ラジオ波Ｓ１は、チャンネル毎に音楽等の番組である通常情報データと地域情報データを含んでいる。
衛星ラジオ波Ｓ１のデータフォーマットの例を図４に示す。例えば音楽番組の場合、通常情報データとは音楽データであり、音楽データを所定のデータ量で分割して送信している。また、音楽データの間に地域情報が記載された地域情報データを時間的に多重として送信している。
なお、ラジオ用衛星９０の送信能力には余裕があり、衛星ラジオの番組の放送のために送信する音楽データ量以上のデータを送信することが可能である。このため、放送が途切れるなど放送に支障が出ないタイミングで地域情報データを送信している。
【００３１】
地域情報データは、具体的には、地域毎の渋滞情報や事故情報、工事規制情報などの道路交通情報、及び駐車場の位置や満車・空車情報、地域のイベント情報、地震や津波、洪水などの災害発生情報、避難所の場所や各地域の被害状況など地域に密着した救援被害情報等である。
地域情報データには、図４に示すように、重要度符号と、地区符号と、地域に関する情報のタイトルと、内容と、データ区切り符号が含まれている。
【００３２】
地域情報データの例を図５に示す。
図５の例では、重要度符号として「Ａ」「Ｂ」「Ｃ」の３つを用いており、「Ａ」が重要度大（緊急）、「Ｂ」が重要度中（緊急性を要しない）、「Ｃ」が重要でないことを示している。
また、地区符号として、県、市町村などの地区、道路名などを記載している。さらに、タイトルには「駐車場情報」「レストラン情報」「交通情報」「地震情報」などが記載されており、内容として、駐車場情報や地震情報などの詳細内容が記載されている。データの末尾にはデータ区切り符号が記載されている。
【００３３】
図５では、大阪、名古屋、三重県南部の各地域に関する情報のみが記載されているが、地域情報データには全国の地域に関する情報が記載され、適当なデータ量に分割されて全国をサービスエリアとして送信されている。
なお、ラジオ用衛星９０は複数のチャンネルの衛星ラジオ波Ｓ１を送信しており、各チャンネルの衛星ラジオ波Ｓ１が図４、図５と同様のデータフォーマットとなっている。
【００３４】
次に、本発明のラジオ放送受信装置１０の動作について説明する。
乗員が衛星ラジオの好みのチャンネルを選択すると、ラジオ受信部１５はマルチバンドアンテナ１１を介して衛星ラジオ波Ｓ１を受信する。衛星ラジオ波Ｓ１には音楽データと地域情報データが含まれている。
【００３５】
乗員が衛星ラジオにより通常情報データである音楽データを楽しむ場合、ラジオ受信部１５は受信した衛星ラジオ波Ｓ１から音楽データのみを選択してスピーカー１８に出力している。これにより、乗員は音楽等の番組を楽しむことが可能となる。
【００３６】
また、ＧＰＳ受信部１４はマルチバンドアンテナ１１を介してＧＰＳ用衛星からの送信波Ｓ２を受信し、該送信波Ｓ２から自動車１の自車位置情報を取得しており、ラジオ受信部１５に出力している。
ラジオ受信部１５が受信した地域情報データに、例えば図５の「５」、「６」のような重要度符号が「Ａ」である緊急度の高い情報が含まれている場合、ラジオ受信部１５は、ＧＰＳ受信部１４から入力された自車位置情報と、緊急度の高い情報の地区符号とを比較する。自車位置が地区符号に記載された市町村内であれば、選択されたチャンネルの音楽等の衛星ラジオ放送中に割込放送する。
【００３７】
また、ラジオ受信部１５が受信した地域情報データが、重要度符号が「Ｂ」「Ｃ」であった場合には、ラジオ受信部１５は、ＧＰＳ受信部１４から入力された自車位置情報と、地域情報データの地区符号とを比較する。自車位置が地区符号に記載された市町村内であれば、自車位置に対応する特定地域情報をメモリ１５ａに記憶し、他地域に関する情報は廃棄する。
乗員が現在走行中の地域に関する特定地域情報を取得したい場合、乗員は受信器１２のスイッチ１６を押す。すると、ラジオ受信部１５は、メモリに記憶した現在走行中の地域に関する特定地域情報をディスプレイ１７に表示する。図６はディスプレイ１７に表示された道路交通情報の例であり、図６（Ａ）のように文字のみで道路交通情報を表示してもよく、図６（Ｂ）のように地図で表示してもよい。
なお、乗員のスイッチ操作によらず、ＣＭ放送中に現在走行中の地域に関する特定地域情報をスピーカー１８に出力してもよい。
【００３８】
図７は、自動車１の走行している位置が、大阪、名古屋、三重県南部の各地であった場合に、図５に示す地域情報データを受信したときのラジオ放送受信装置１０の動作を示す。
例えば、自動車１が大阪を走行中の場合、地域情報データのうち「３」のみが大阪に関する情報であり、かつ、該情報は緊急度が低い情報であるため、ディスプレイに文字で表示される。その他の情報は廃棄される。
【００３９】
自動車１が名古屋を走行中の場合には、「１」「２」「４」は名古屋の情報であり、かつ、該情報は緊急度が低い情報であるため、ディスプレイに文字で表示される。また、「５」「６」は緊急度の高い情報であるが、名古屋の情報ではなく三重県南部の情報であるため、受信中の音楽等の放送を中断するのではなく、ディスプレイに文字で表示される。
自動車１が三重県南部を走行中の場合、「５」「６」の地震情報は緊急度が高く、かつ三重県南部での地震情報であるため、受信中の音楽等の放送を中断して割込放送を行い、乗員に警告を行う。
【００４０】
本発明によれば、ラジオ受信部１５がＧＰＳ受信部１４により自車位置情報を取得することにより、自動車１の走行している地域に関する情報を衛星ラジオ波Ｓ１から受信することができ、乗員は表示手段により地域に関する情報を得ることができる。
【００４１】
図８に第１実施形態の変形例を示す。
図８（Ａ）は第１変形例であり、受信器１２と別部品とした分波器１３をマルチバンドアンテナ１１と受信器１２との間に介設している。
図８（Ｂ）は第２変形例であり、分波器１３と、ＧＰＳ受信部を備えたＧＰＳ受信器３０を、受信器１２と別体として設けている。
なお、他の構成および作用効果は第１実施形態と同様のため、同一の符号を付して説明を省略する。
また、図８〜図１１はラジオ用衛星９０及びＧＰＳ用衛星９１の記載は省略している。
【００４２】
図９に本発明の第２実施形態を示す。
第２実施形態においては、ＧＰＳ用衛星からの送信波Ｓ２を受信するＧＰＳ用衛星アンテナ３１と、衛星ラジオからの衛星ラジオ波Ｓ１を受信する衛星ラジオアンテナ３２からなり、ＧＰＳ用衛星アンテナ３１はＧＰＳ受信部１４と接続し、衛星ラジオアンテナ３２はラジオ受信部１５と接続している。
【００４３】
前記のように、位置情報の受信専用のＧＰＳ用衛星アンテナ３１と、衛星ラジオ波Ｓ１の受信専用の衛星ラジオアンテナ３２とを別体とすると、分波器が不要となる。かつ、各アンテナを自動車１の位置情報及び衛星ラジオの周波数に合わせた高性能のアンテナとすることができる。
なお、他の構成および作用効果は第１実施形態と同様のため、同一の符号を付して説明を省略する。
【００４４】
図１０に第２実施形態の変形例を示す。
図１０では、ＧＰＳ受信部を備えたＧＰＳ受信器３０を受信器１２と別部品としている。
なお、他の構成および作用効果は第１実施形態と同様のため、同一の符号を付して説明を省略する。
【００４５】
図１１に第３実施形態を示す。
図１１では、受信器１２は外部出力部１９を備え、インスツルメントパネルに取り付けたカーナビゲーションのディスプレイ３０及びスピーカー３１と接続している。
このように、受信器１２に内蔵されたディスプレイ１７及びスピーカー１８ではなく、カーナビゲーションのディスプレイ３０及びスピーカー３１を用いて特定地域情報及び通常情報データである音楽データを出力することができる。
【００４６】
図１２に本発明の第４実施形態を示す。
第４実施形態は自動車に搭載する車載用ではなく、視聴者が家庭等で使用したり、手持ちで持ち運ぶことができるポータブルの衛星ラジオ放送受信装置からなる。
即ち、受信器４０は、衛星ラジオ放送を受信するマルチバンドアンテナ４１付きのポータブル受信器としている。
受信器４０をポータブル受信器としても、視聴者は音楽データを楽しむことができると共に、ラジオ受信部１５がＧＰＳ受信部１４により位置情報を取得することにより、家庭で視聴している場合には、居住地の地域情報を衛星ラジオ波Ｓ１から選択した音楽番組等を聴きながら、居住地の地域情報を得ることができ、生活上の利便性を図ることができる。  なお、他の構成および作用効果は第１実施形態と同様のため、同一の符号を付して説明を省略する。
【図面の簡単な説明】
【００４７】
【図１】本発明であるラジオ放送受信装置の第１実施形態を示す構成図である。
【図２】ラジオ放送受信装置の自動車への搭載図である。
【図３】マルチバンドアンテナの例である。
【図４】衛星ラジオ波の例である。
【図５】地域に関する情報の例である。
【図６】道路交通情報のディスプレイへの表示例である。
【図７】自動車が大阪、名古屋、三重を走行中のラジオ放送受信装置の動作の説明図である。
【図８】第１実施形態の、（Ａ）は第１変形例を示す構成図、（Ｂ）は第２変形例を示す構成図である。
【図９】本発明の第２実施形態を示す構成図である。
【図１０】本発明の第２実施形態の変形例を示す構成図である。
【図１１】本発明の第３実施形態を示す構成図である。
【図１２】本発明の第４実施形態を示す構成図である。
【符号の説明】
【００４８】
１０  受信器
１１  マルチバンドアンテナ
１２  受信器
１３  分波器
１４  ＧＰＳ受信部
１５  ラジオ受信部
１６  スイッチ
１７  ディスプレイ
１８  スピーカー
９０  ラジオ用衛星
９１  ＧＰＳ用衛星
Ｓ１  ラジオ用衛星からの衛星ラジオ波
Ｓ２  ＧＰＳ用衛星からの送信波
【図１】
2009111729.tif 000003
【図２】
2009111729.tif 000004
【図３】
2009111729.tif 000005
【図４】
2009111729.tif 000006
【図５】
2009111729.tif 000007
【図６】
2009111729.tif 000008
【図７】
2009111729.tif 000009
【図８】
2009111729.tif 000010
【図９】
2009111729.tif 000011
【図１０】
2009111729.tif 000012
【図１１】
2009111729.tif 000013
【図１２】
2009111729.tif 000014